(57)【要約】【課題】運転開始時における冷媒回路の圧力の上昇を抑制できるヒートポンプ式給湯装置を提供する。【解決手段】圧縮機２、冷媒対水熱交換器３、電動膨張弁５及び蒸発器６を順次接続して形成した冷媒回路１Ａと、冷媒対水熱交換器３にて加熱された温水を貯湯する貯湯タンク４と、を備えたヒートポンプ式給湯装置１を制御して、加熱運転開始から所定時間は電動膨張弁５の開度を予め設定された開度に維持する起動時制御を行い、所定時間の経過後に、圧縮機２の吐出温度に基づいて電動膨張弁５の開度を制御する通常制御に移行する。【選択図】図１
2011214736.tif 000002
【特許請求の範囲】
【請求項１】
圧縮機、冷媒対水熱交換器、膨張弁及び蒸発器を順次接続して形成した冷媒回路と、前記冷媒対水熱交換器にて加熱された温水を貯湯する貯湯槽と、前記膨張弁の開度を制御する制御部と、を備え、
前記制御部は、加熱運転開始から所定時間は前記膨張弁の開度を予め設定された開度に維持する起動時制御を行い、前記所定時間の経過後に、前記圧縮機の吐出温度に基づいて前記膨張弁の開度を制御する通常制御に移行すること、
を特徴とするヒートポンプ式給湯装置。
【請求項２】
前記起動時制御における前記膨張弁の開度が、外気温に基づいて少なくとも複数段階に設定され、
前記制御部は外気温を検出可能に構成され、前記起動時制御において前記膨張弁の開度を、検出した外気温に応じて予め設定された開度に維持すること、を特徴とする請求項１記載のヒートポンプ式給湯装置。
【請求項３】
前記起動時制御における前記膨張弁の開度が、外気温が高いほど開度が小さくなるよう複数段階に設定されていること、を特徴とする請求項２記載のヒートポンプ式給湯装置。
【請求項４】
前記圧縮機は回転数可変に構成され、
前記制御部は前記圧縮機の回転数を制御可能に構成され、通常動作中は前記圧縮機を予め設定された通常動作回転数で回転させ、前記起動時制御の実行中は、通常動作回転数より低回転で前記圧縮機を回転させること、を特徴とする請求項１から３のいずれかに記載のヒートポンプ式給湯装置。
【請求項５】
前記制御部は、前記起動時制御が終了してから通常動作に移行する間に、前記圧縮機を、予め設定された通常動作回転数より低回転で、かつ前記起動時制御の実行中より高回転で回転させること、を特徴とする請求項４記載のヒートポンプ式給湯装置。
【請求項６】
圧縮機、冷媒対水熱交換器、膨張弁及び蒸発器を順次接続して形成した冷媒回路と、前記冷媒対水熱交換器にて加熱された温水を貯湯する貯湯槽と、を備えたヒートポンプ式給湯装置を制御して、
加熱運転開始から所定時間は前記膨張弁の開度を予め設定された開度に維持する起動時制御を行い、前記所定時間の経過後に、前記圧縮機の吐出温度に基づいて前記膨張弁の開度を制御する通常制御に移行すること、
を特徴とするヒートポンプ式給湯装置の制御方法。
【発明の詳細な説明】
【技術分野】
【０００１】
本発明は、ヒートポンプ式給湯装置、および、ヒートポンプ式給湯装置の制御方法に関する。
【背景技術】
【０００２】
従来、冷媒対水熱交換器によって湯を沸き上げてタンクに貯湯するヒートポンプ式給湯装置において、冷媒対水熱交換器からタンクに低温の湯が出湯されないように、運転開始時に冷媒温度が上昇するまで、冷媒対水熱交換器に流れる水量を抑えるものが知られている（例えば、特許文献１参照）。
【先行技術文献】
【特許文献】
【０００３】
【特許文献１】特開２００５−１４０４３９号公報
【発明の概要】
【発明が解決しようとする課題】
【０００４】
ところが、冷媒対水熱交換器の水量が抑えられている間は冷媒が熱交換されずに圧縮機に戻るので、圧縮機の吐出圧力が高圧になりやすい。このため、冷媒温度が上昇して冷媒対水熱交換器の水量が増えた後でも、吐出圧力が過度に上昇し、ヒートポンプ式給湯装置が停止してしまうことがあった。特に、経年変化により冷媒対水熱交換器を含む水回路にスケールが蓄積して圧力損失が増している場合は、冷媒対水熱交換器の水量を増加させるために時間がかかる。このため、冷媒対水熱交換器で冷媒を放熱させることにより圧縮機の吐出圧力の上昇を抑えることができず、吐出圧力の過度の上昇を起こしやすいという問題があった。
本発明は、上述した事情に鑑みてなされたものであり、運転開始時における冷媒回路の圧力の上昇を抑制できるヒートポンプ式給湯装置を提供することを目的とする。
【課題を解決するための手段】
【０００５】
上記目的を達成するために、本発明は、圧縮機、冷媒対水熱交換器、膨張弁及び蒸発器を順次接続して形成した冷媒回路と、前記冷媒対水熱交換器にて加熱された温水を貯湯する貯湯槽と、前記膨張弁の開度を制御する制御部と、を備え、前記制御部は、加熱運転開始から所定時間は前記膨張弁の開度を予め設定された開度に維持する起動時制御を行い、前記所定時間の経過後に、前記圧縮機の吐出温度に基づいて前記膨張弁の開度を制御する通常制御に移行すること、を特徴とする。
【０００６】
上記ヒートポンプ式給湯装置において、前記起動時制御における前記膨張弁の開度が、外気温に基づいて少なくとも複数段階に設定され、前記制御部は外気温を検出可能に構成され、前記起動時制御において前記膨張弁の開度を、検出した外気温に応じて予め設定された開度に維持する構成としてもよい。
また、上記ヒートポンプ式給湯装置において、前記起動時制御における前記膨張弁の開度が、外気温が高いほど開度が小さくなるよう複数段階に設定されていてもよい。
また、上記ヒートポンプ式給湯装置において、前記圧縮機は回転数可変に構成され、前記制御部は前記圧縮機の回転数を制御可能に構成され、通常動作中は前記圧縮機を予め設定された通常動作回転数で回転させ、前記起動時制御の実行中は、通常動作回転数より低回転で前記圧縮機を回転させる構成としてもよい。
さらにまた、上記ヒートポンプ式給湯装置において、前記制御部は、前記起動時制御が終了してから通常動作に移行する間に、前記圧縮機を、予め設定された通常動作回転数より低回転で、かつ前記起動時制御の実行中より高回転で回転させるものとしてもよい。
【０００７】
また、上記目的を達成するために、本発明は、圧縮機、冷媒対水熱交換器、膨張弁及び蒸発器を順次接続して形成した冷媒回路と、前記冷媒対水熱交換器にて加熱された温水を貯湯する貯湯槽と、を備えたヒートポンプ式給湯装置を制御して、加熱運転開始から所定時間は前記膨張弁の開度を予め設定された開度に維持する起動時制御を行い、前記所定時間の経過後に、前記圧縮機の吐出温度に基づいて前記膨張弁の開度を制御する通常制御に移行すること、を特徴とする。
【発明の効果】
【０００８】
本発明によれば、加熱運転開始から所定時間は膨張弁の開度を予め設定された開度に維持するので、冷媒対水熱交換器で冷媒が十分に放熱しない状態が続いても圧縮機の吐出圧力の異常上昇を防止できるので、冷媒対水熱交換器における圧力損失が大きく水量を増加しにくい場合であっても、吐出圧力の異常上昇を防止できる。
【図面の簡単な説明】
【０００９】
【図１】本発明の実施の形態に係るヒートポンプ式給湯装置の冷媒回路図である。
【図２】電動膨張弁の開度制御と吐出圧の変化を示す図表である。
【図３】圧縮機の回転数制御と吐出圧の変化を示す図表である。
【発明を実施するための形態】
【００１０】
以下、図面を参照して本発明の実施の形態を詳述する。
図１は本発明の実施の形態に係るヒートポンプ式給湯装置１の冷媒回路図である。この図に示すように、ヒートポンプ式給湯装置１は、圧縮機２、冷媒対水熱交換器３、電動膨張弁５（膨張弁）、蒸発器６、内部熱交換器７、及びアキュムレータ８を接続して構成される冷媒回路１Ａと、貯湯タンク４（貯湯槽）とを備えている。
【００１１】
冷媒回路１Ａは、通常、屋外に設置されるヒートポンプを構成し、屋内に設置される貯湯タンク４に湯を供給する。貯湯タンク４は、冷媒回路１Ａによって加熱された湯を貯湯するタンクであり、下部から市水が供給され、貯湯タンク４内部の湯はタンク上部から建物の給湯蛇口等へ供給される。
貯湯タンク４内の湯は、循環ポンプ４１を備えた水配管４２によってタンク下部から引き出され、冷媒回路１Ａと熱交換されて高温の湯となって、タンク上部に戻る。このため、貯湯タンク４内には上層ほど高温で下層ほど低温となるグラデーション状の温度帯が形成されており、より高温の湯がタンク上部から供給されるようになっている。
【００１２】
冷媒回路１Ａには、自然冷媒である二酸化炭素（ＣＯ２）冷媒が充填されて使用され、る。圧縮機２は二酸化炭素冷媒を超臨界域まで圧縮する二段式のロータリー圧縮機である。圧縮機２の吐出管２１には、マフラー１１を介して冷媒対水熱交換器３（ガスクーラー）が接続されている。冷媒対水熱交換器３は、圧縮機２が吐出した高温の冷媒と、循環ポンプ４１が送出する貯湯タンク４内の水（湯）とを熱交換させ、湯を沸き上げる。冷媒対水熱交換器３は、その内部で圧縮機２の吐出冷媒と貯湯タンク４の水とが逆方向に流れるよう構成されている。
【００１３】
冷媒対水熱交換器３の冷媒出口につながれた冷媒配管２４には内部熱交換器７がつながれ、内部熱交換器７は二重管式熱交換器として構成され、冷媒対水熱交換器３の出口冷媒と、後述する蒸発器６を出て圧縮機２の吸込管２２に戻る冷媒とを熱交換させる。これにより、冷媒対水熱交換器３を出た冷媒の熱を吸込管２２側に回収して吸込冷媒の温度を上昇させ、圧縮機２の吐出温度をより効率よく上昇させる。
内部熱交換器７の出口にはストレーナ１２を介して電動膨張弁５が接続され、電動膨張弁５により減圧された冷媒は冷媒配管２５を通って蒸発器６に流入する。蒸発器６は二段式のフィンアンドチューブ型熱交換器として構成され、冷媒配管２５を流れる冷媒は蒸発器６の手前で分岐して各段に流れる。蒸発器６でほぼ完全にガス化された冷媒は内部熱交換器７を経てアキュムレータ８に流入し、アキュムレータ８から圧縮機２の吸込管２２に戻る。
【００１４】
また、ヒートポンプ式給湯装置１は、冷媒回路１Ａの各部を制御する制御部１０を備えている。図１中の破線は制御部１０につながる制御線を示す。圧縮機２は、図示しないインバータ回路を備えた回転数可変型のモータによって駆動され、制御部１０の制御により、上記モータの起動、停止及び回転数が制御される。また、制御部１０には電動膨張弁５が接続され、制御部１０によって電動膨張弁５の開度制御を実行可能である。
【００１５】
ヒートポンプ式給湯装置１は、圧縮機２の吐出管２１に設けられて圧縮機２が吐出した冷媒の温度（吐出温度）を検出する温度センサ５１と、蒸発器６の出口冷媒の温度を検出する温度センサ５２と、蒸発器６の温度を検出する温度センサ５３と，圧縮機２の吐出管２１に設けられ、冷媒圧力が所定値を超えた場合に作動する高圧スイッチ５５とを備え、これらは制御部１０に接続されている。制御部１０は、各温度センサ５１、５２、５３が検出した温度および高圧スイッチ５５の作動状態を取得して、取得した値に基づいて、圧縮機２の回転数、および電動膨張弁５の開度を制御する。
【００１６】
制御部１０は、ヒートポンプ式給湯装置１の動作時間帯として、図示しないコントローラーの操作により設定された時間帯に、圧縮機２を含む冷媒回路１Ａを動作させる。ヒートポンプ式給湯装置１の動作時間帯は、時間帯別電力料金契約または深夜電力契約に基づいて電力料金が安価となる時間帯に設定され、制御部１０は、この動作時間帯のうちに指定された温度の湯を貯湯タンク４いっぱいに沸き上げるために必要な運転時間を求め、この運転時間から逆算した時刻にヒートポンプ式給湯装置１の運転を開始する。そして、貯湯タンク４内部の湯量及び湯温がいずれも設定値に達した場合に、貯湯タンク４の循環ポンプ４１を含む各部を制御するタンク制御部（図示略）が、制御部１０に対して制御信号を送信し、この制御信号を受信した制御部１０はヒートポンプ式給湯装置１を停止する。
【００１７】
ところで、ヒートポンプ式給湯装置１の加熱運転を開始した直後は、冷媒回路１Ａを流れる冷媒の温度が、設定された湯温に対して低いため、循環ポンプ４１の水量が少量に抑えられる。これは、冷媒温度が低温の状態で冷媒対水熱交換器３に水を流しても水が十分に加熱されないので循環ポンプ４１の消費電力が無駄になってしまい、さらに、低温の水が貯湯タンク４の上部に戻ることで貯湯タンク４内部の温度帯を乱してしまうからである。このため、ヒートポンプ式給湯装置１の運転開始後は、温度センサ５１により検出される吐出温度が予め設定された温度になってから、循環ポンプ４１の流量が増大して湯の沸き上げが開始される。
【００１８】
しかしながら、循環ポンプ４１の水量が抑えられている間は、吐出冷媒が冷媒対水熱交換器３で放熱しないまま吸込管２２に戻るので、吐出冷媒の温度および圧力の上昇が速い。このため、吐出温度が設定温度に達した後で循環ポンプ４１が循環水量を増大させても、冷媒圧力の上昇が続いてオーバーシュートし、高圧スイッチ５５が作動してしまうことがある。
ヒートポンプ式給湯装置１においては、経年変化によって冷媒対水熱交換器３を含む水回路にスケールが付着して圧力損失が増大することがあるが、この圧力損失が増大すると冷媒対水熱交換器３の流量の立ち上がりに時間がかかる。この場合、冷媒対水熱交換器３で冷媒が十分に冷えないため、上述したように冷媒圧力の上昇が続いて高圧スイッチ５５が作動しやすくなる。
【００１９】
高圧スイッチ５５が作動した場合、回路保護のためヒートポンプ式給湯装置１が停止され、手動でヒートポンプ式給湯装置１の再起動をする必要がある。また、高圧スイッチ５５が作動した後の再起動時に、また上記のように高圧スイッチ５５が作動することもあり、複数回連続して高圧スイッチ５５が動作するとエラーとなって、メンテナンス作業者がエラーをリセットする必要がある。このような停止やメンテナンスの負担を軽減するため、冷媒対水熱交換器３を含む水回路の圧力損失が軽度である間は、高圧スイッチ５５が作動しにくくなるような対策が望まれる。
【００２０】
そこで、本実施形態に係るヒートポンプ式給湯装置１は、制御部１０により、加熱運転開始から所定時間（例えば、３分間）は電動膨張弁５の開度を予め設定された開度に維持し、所定時間が経過した後に、通常の電動膨張弁５の開度制御に移行する。通常運転中、制御部１０は、温度センサ５１が検出した吐出温度が設定温度より高く、かつ、圧縮機２の定格値を超えないように電動膨張弁５の開度を制御する。
【００２１】
図２は、ヒートポンプ式給湯装置１の除霜運転終了後の加熱運転開始時に、制御部１０による電動膨張弁５の開度制御を行った場合の圧縮機２の吐出圧力の変化を示す図表である。図２の縦軸は圧力または温度であり、図中Ｂは制御部１０が制御する電動膨張弁５の目標開度を示し，図中Ｐは吐出圧力を示し，図中ＴＨは高圧スイッチ５５の作動圧力を示し，図中Ｄは吐出温度を示す。横軸は時間の経過を示し，時刻Ｔ１はヒートポンプ式給湯装置１の運転開始時を示し、時刻Ｔ２は設定時間（この例では３分）経過時を示す。また、時刻Ｔ０の左側の時間帯は、この加熱運転開始（Ｔ１）前の加熱運転を示し、時刻Ｔ０〜Ｔ１間は、この加熱運転時に蒸発器に付着した霜を溶かすいわゆる除霜運転時間である。この除霜運転終了後（Ｔ１）に、この加熱運転が行われる。除霜運転中は電動膨張弁５がほぼ全開にされることで比較的高温の冷媒が蒸発器６に流入して霜が融ける一方、冷媒の圧力及び吐出温度が低下する。
【００２２】
時刻Ｔ１でヒートポンプ式給湯装置１が運転を開始してから、起動時制御を行う期間として設定された時間（例えば、３分）が経過する時刻Ｔ２までの間、制御部１０は、電動膨張弁５の開度を、予め設定された初期値に固定する。
例えば、電動膨張弁５の開度が４５ｓｔｅｐ（全閉）〜４５０ｓｔｅｐ（全開）の範囲で調整可能な構成において、制御部１０は、圧縮機２の運転開始から３分間は電動膨張弁５の開度を３５０ｓｔｅｐで固定し、３分経過後に、温度センサ５１の検出温度に基づく電動膨張弁５の開度制御に移行する。３５０ｓｔｅｐの開度は、電動膨張弁５が比較的大きく開いた状態であり、冷媒回路１Ａの圧力差はあまり大きくならない。このため、図２に示すように吐出温度Ｄの上昇は若干ゆるやかになっているが、確実に上昇しており、吐出圧力Ｐも緩やかに上昇している。この過程で吐出温度Ｄが目標温度に達すると、循環ポンプ４１の水量（図示略）が増大するが、図２中の吐出圧力Ｐには大きな変動はなく高圧スイッチ５５が作動することもない。そして、設定された時間（３分）が経過して時刻Ｔ１で電動膨張弁５が閉鎖方向に制御されても、吐出圧力Ｐが急変することはなく、高圧スイッチ５５を作動させずに通常動作状態に移行している。
【００２３】
このように、制御部１０は、ヒートポンプ式給湯装置１の運転開始から所定時間は、電動膨張弁５の開度を、予め設定された開度に維持し、所定時間が経過してから通常の電動膨張弁５の開度制御に移行するので、運転開始後の圧縮機２の吐出圧力の立ち上がりを抑制することで、冷媒回路１Ａの冷媒圧力を正常範囲内に抑え、高圧スイッチ５５の作動を防止できる。特に経年変化等により冷媒対水熱交換器３の圧力損失が大きくなっている状態で、冷媒対水熱交換器３における湯の水量を増加させることが難しい状態であっても、高圧スイッチ５５を作動しにくくすることができ、ヒートポンプ式給湯装置１の運転停止を回避して可用性を高めることができる。
【００２４】
ここで、ヒートポンプ式給湯装置１の運転開始から所定時間に設定する電動膨張弁５の開度は、常に同じ値であってもよいが、外気温度に基づいて変化させてもよい。すなわち、制御部１０は、起動時制御における電動膨張弁５の開度として複数の値を記憶し、各々の値は外気温度の温度帯に対応付けられており、制御部１０は、ヒートポンプ式給湯装置１の運転開始時の外気温度を検出し、検出した外気温度に対応する値を電動膨張弁５の目標開度とする。
外気温が高いときに電動膨張弁５の開度が大きいと、冷媒の温度を上昇させるために長時間を要する。このため、外気温が高いほど電動膨張弁５の開度が小さくなり、外気温が低いほど電動膨張弁５の開度が大きくなるように、外気温度または外気温度の温度帯に対応付けて複数の開度の値を用意しておく。これにより、電動膨張弁５の開度を、加熱運転開始時の外気温度に対応する開度に調整することで、外気温度が高い場合に冷媒温度が上昇しないといった問題、及び、吐出圧力が異常値となって高圧スイッチ５５を作動させてしまう問題の両方を解決できる。このように、ヒートポンプ式給湯装置１の運転開始後の起動時制御における電動膨張弁５の開度を、外気温に応じて複数段階に分けることで、外気温度が高い場合も速やかに冷媒温度を上昇させることが可能で、外気温度が低い場合も吐出圧力の異常上昇を回避できる。
なお、制御部１０は、外気温度を検出するための温度センサ（図示略）を備え、この温度センサの検出値に基づいて外気温を検出してもよいし、ヒートポンプ式給湯装置１の停止中における温度センサ５３の検出値を外気温度として取得してもよい。
【００２５】
また、制御部１０は、ヒートポンプ式給湯装置１の運転開始時に吐出圧力の上昇を抑えるため、運転開始から所定時間（例えば、３分間）、圧縮機２の回転数を抑制する制御を行うこともできる。
図３は、ヒートポンプ式給湯装置１の除霜運転終了後の加熱運転開始時に、制御部１０による圧縮機２の回転速度制御を行った場合の圧縮機２の吐出圧力の変化を示す図表である。図３の縦軸は圧力または温度であり、図中Ｓは制御部１０が制御する圧縮機２の目標回転数を示し，図中Ｐは吐出圧力を示し，図中Ｄは吐出温度を示す。横軸は時間の経過を示し，時刻Ｔ１はヒートポンプ式給湯装置１の運転開始時を示し、時刻Ｔ２は設定時間（この例では５分）経過時を示し、時刻Ｔ２は２番目の設定時間（この例では１分）経過時を示す。また、時刻Ｔ０の左側の時間帯は、この加熱運転開始（Ｔ１）前の加熱運転を示し、時刻Ｔ０〜Ｔ１間は、この加熱運転時に蒸発器に付着した霜を溶かすいわゆる除霜運転時間である。この除霜運転終了後（Ｔ１）に、この加熱運転が行われる。
【００２６】
時刻Ｔ１でヒートポンプ式給湯装置１が運転を開始してから、起動時制御を行う期間として設定された時間（例えば、５分）が経過する時刻Ｔ２までの間、制御部１０は、圧縮機２の目標回転数を、通常動作時の目標回転数より低い回転数に設定する。ヒートポンプ式給湯装置１において圧縮機２の回転数は通常一定であり、その回転数は予め制御部１０に設定され、制御部１０は起動時制御の間、設定された目標回転数から所定値（本実施の形態では１０Ｈｚ）を減算した目標回転数で圧縮機２を維持する。なお、時刻Ｔ１で運転を開始した直後に、短時間、圧縮機２の目標回転数を、より低い値にしてもよい。
さらに、制御部１０は、２番目の起動時制御を行う期間として設定された時間（例えば、１分）が経過する時刻Ｔ３までの間、圧縮機２の目標回転数を、起動時制御より高く、通常動作時の目標回転数より低い回転数に設定する。本実施の形態では、設定された通常動作時の目標回転数から５Ｈｚ低くしている。そして、２番目の起動時制御を行う期間が経過した時刻Ｔ３で、制御部１０は、通常動作時の制御に移行し、圧縮機２の目標回転数を設定回転数にする。
【００２７】
ヒートポンプ式給湯装置１の運転開始後に圧縮機２の回転数を低くした場合、図３に示すように、吐出圧力Ｐは速やかに上昇して低めの圧力で安定する。その後、圧縮機２の目標回転数が、時刻Ｔ２及びＴ３で段階的に増速しても、吐出圧力Ｐの大きな変化は無く、安定した値となっている。一方、吐出温度Ｄは確実に上昇して、湯の沸き上げが可能になる。また、吐出温度Ｄが目標温度に達すると、循環ポンプ４１の水量（図示略）が増大するが、図３中の吐出圧力Ｐには大きな変動はなく、高圧スイッチ５５を作動させることなく通常動作状態に移行している。
このように、制御部１０は、ヒートポンプ式給湯装置１の運転開始から所定時間は、圧縮機２の目標回転数を通常動作時の目標回転数より低い値で維持し、所定時間が経過してから通常の目標回転数に移行するので、運転開始時の圧縮機２の吐出圧力の急峻な立ち上がりを抑制して高圧スイッチ５５の作動を防止できる。このため、特に経年変化等により冷媒対水熱交換器３の圧力損失が大きくなっている状態で、冷媒対水熱交換器３における湯の水量を増加させることが難しい状態であっても、高圧スイッチ５５が作動しにくくなり、ヒートポンプ式給湯装置１の運転停止を回避して可用性を高めることができる。
【００２８】
ここで、図３に示したように圧縮機２の回転数を、最初の５分間と次の１分間との２段階に変化させることにより、圧縮機２の吐出圧力Ｐの変動を緩和し、より確実に、高圧スイッチ５５を作動しにくくすることができる。
また、図３に例示した圧縮機２の回転数の制御は、図２を参照して説明した電動膨張弁５の開度制御と組み合わせて、同時に行ってもよいし、電動膨張弁５の開度制御と、圧縮機２の回転数の制御とのいずれか一方のみを行う構成としてもよい。これらのいずれの場合においても、ヒートポンプ式給湯装置１の運転開始時に循環ポンプ４１の循環水量が少ない状態で圧縮機２が起動し、吐出温度が上昇してから循環ポンプ４１の循環水量が増大する場合に、循環水量の変化が遅く圧縮機２の吐出圧力が異常上昇する事態を回避し、高圧スイッチ５５の作動を避けることができる。
【００２９】
さらに、図２及び図３を参照して説明した電動膨張弁５の開度制御と圧縮機２の回転数制御は、ヒートポンプ式給湯装置１の設置後、ヒートポンプ式給湯装置１の運転を開始する毎に毎回行うようにしてもよいが、冷媒対水熱交換器３の圧力損失が極めて小さい場合起動直後から通常の動作を行う方が効率がよい。このため、電動膨張弁５の開度制御及び／又は圧縮機２の回転数制御は、高圧スイッチ５５の作動によりヒートポンプ式給湯装置１が停止した後、或いは、高圧スイッチ５５の作動が所定回数以上続いた後に、ヒートポンプ式給湯装置１の運転開始時に毎回行うようにしてもよい。或いは、高圧スイッチ５５の作動によりヒートポンプ式給湯装置１が停止した直後の再起動時のみ、行うようにしてもよい。この場合、冷媒対水熱交換器３の圧力損失が原因で高圧スイッチ５５が作動しやすくなったと思われる場合のみ電動膨張弁５の開度制御及び／又は圧縮機２の回転数制御を行うので、ヒートポンプ式給湯装置１の運転開始から能力が安定するまでの時間を徒に延長しなくて済むという利点がある。
また、ヒートポンプ式給湯装置１が、高圧スイッチ５５の作動によりエラーとなった場合に、メンテナンス作業者の手動操作により、運転開始時に上記の電動膨張弁５の開度制御及び／又は圧縮機２の回転数制御を行うよう設定してもよい。
【００３０】
なお、上述した実施の形態は、あくまでも本発明の一態様を示すものであり、本発明の範囲内において任意に変形可能である。例えば、図２及び図３には、除霜運転後の加熱運転開始時に、起動時制御として、電動膨張弁５の開度調整または圧縮機２の回転数の制御を行う場合を例に挙げて説明したが、本発明はこれに限定されるものではなく、圧縮機２の吐出冷媒の温度が設定された温度より低い状態から湯を沸き上げる加熱運転を開始するときには、どのような場合であっても上記起動時制御を実行可能である。具体的には、ヒートポンプ式給湯装置１が完全に停止した状態から運転を開始する場合にも、何らかの理由で一時停止していたヒートポンプ式給湯装置１が運転を再開する場合にも、本発明を適用して起動時制御を実行可能である。
また、例えば、本実施の形態のヒートポンプ式給湯装置１は、制御部１０により、ヒートポンプ式給湯装置１の運転開始から所定時間が経過した後の通常動作時には、電動膨張弁５の開度を圧縮機２の吐出温度に基づいて制御するものとして説明したが、本発明はこれに限定されず、圧縮機２の吐出温度以外の温度や圧力に基づいて制御を行うことも勿論可能である。また、上記実施の形態では温度センサ５１，５２、５２及び高圧スイッチ５５の検出値に基づいて制御を行う構成を例に挙げて説明したが、温度センサとしては、圧縮機２のケース温度を検出する温度センサ、冷媒対水熱交換器３の出口における冷媒温度を検出する温度センサ、貯湯タンク４内部の温度を検出する温度センサ等、より多くのセンサを設けて制御を行うことが可能であり、圧力センサについても同様であって、その他、貯湯タンク４内の湯量を検出するセンサを設けてもよく、これら各センサの検出値に基づく制御を行う構成としてもよい。さらに、ヒートポンプ式給湯装置１は、冷媒回路１Ａを制御する制御部１０に加え、貯湯タンク４の循環ポンプ４１、貯湯タンク４に市水を給水する給水弁（図示略）を制御するタンク制御部を備えた構成としてもよいし、タンク制御部の機能を制御部１０が兼ねる構成としてもよい。その他の細部構成や本発明を適用するヒートポンプ式給湯装置の具体的構成については、任意に変更可能である。
【符号の説明】
【００３１】
１  ヒートポンプ式給湯装置
１Ａ  冷媒回路
２  圧縮機
３  冷媒対水熱交換器
４  貯湯タンク（貯湯槽）
５  電動膨張弁（膨張弁）
６  蒸発器
７  内部熱交換器
１０  制御部
４１  循環ポンプ
４２  水配管
５５  高圧スイッチ
【図１】
2011214736.tif 000003
【図２】
2011214736.tif 000004
【図３】
2011214736.tif 000005